(57)【特許請求の範囲】
【請求項１】
洗濯機の洗濯槽内に複数投入して洗濯糸くずを捕集する投入式の洗濯機用糸くず捕集具であって、
前記洗濯機用糸くず捕集具は、捕集開口具と、捕集ネットと、によって構成され、
前記捕集開口具は、所定の大きさの捕集開口口を有すると共に、水の比重に対して同等またはそれ以下またはそれ以上の異なる比重の材質で成るリング状の浮遊体で形成されて成り、
前記捕集ネットは、所定の奥行寸法を有すると共に、最奥部に向かって先細又は細長のネット状の袋体で形成されて成り、
前記捕集開口具が、前記捕集ネットの開口部に連結又は固定されて成り、
使用時において、前記複数の捕集開口具を水との比重差によって洗濯槽の上層部、中層部、下層部の各層エリア毎に浮遊させた状態で、前記捕集ネットの外側末端部が洗濯水流によって流されることで、前記捕集開口具の捕集開口口の向きが洗濯水流の方向と対峙すると共に、該捕集開口口に洗濯水流が流れ込んで捕集ネットの内側部を膨らませた状態で洗濯糸くずを捕集することを特徴とする洗濯機用糸くず捕集具。
【請求項２】
前記捕集開口具が、所定の大きさの捕集開口口と、所定の長さの筒状の壁面を形成して成ることを特徴とする請求項１記載の洗濯機用糸くず捕集具。
【請求項３】
前記捕集ネットの最奥部が、通水性の低い糸くず集積部によって形成されていることを特徴とする請求項１または請求項２記載の洗濯機用糸くず捕集具。
【請求項４】
前記捕集開口具の捕集開口口の前面に中心部が開放されるガード柵を設けたことを特徴とする請求項１〜請求項３の何れか記載の洗濯機用糸くず捕集具。
【請求項５】
前記捕集開口具の前面からオーバーキャップを嵌め込んで前記捕集開口具と、前記捕集ネットと、を連結したこと特徴とする請求項１〜請求項４の何れか記載の洗濯機用糸くず捕集具。
【発明の詳細な説明】
【技術分野】
【０００１】
本発明は、洗濯機の洗濯槽内に複数投入して洗濯槽の上層部、中層部、下層部の各層エリア毎に浮遊する洗濯糸くずを効率よく捕集する投入式の洗濯機用糸くず捕集具に関する。
【背景技術】
【０００２】
従来における洗濯機用糸くず捕集具としては、糸くず捕集具自体を紐やチェーンで吊す吊持式、洗濯槽の水面に浮上する浮上式、洗濯機の本体に固定する固定式、洗濯槽内に投入する投入式など、多種多様な洗濯機用糸くず捕集具が提案されている。
【０００３】
上記における吊持式の洗濯機用糸くず捕集具の提案としては、例えば、「水流対向式洗濯くず捕集網袋」（特許文献１）が提案され、公知技術となっている。
【０００４】
しかしながら、係る「水流対向式洗濯くず捕集網袋」の提案は、洗濯くず捕集網袋本体を吸盤によって洗濯機本体に装着する手段を採用しているため、洗濯くず捕集網袋を吊持する紐やチェーンが洗濯物と絡んだりする問題点があると共に、洗濯機槽の上層部辺りに浮上する洗濯くずの捕集に留まるものであった。また遠心分離脱水槽式洗濯機に装着される仕様に限定されるものであり、現在主流となっている斜めドラム回転式洗濯機には装着することができないものであった。
【０００５】
また、洗濯槽の水面に浮上する浮上式の洗濯機の糸くず捕集具の提案としては、例えば、「洗濯くず捕集網袋兼用浴湯アカ捕集網袋」（特許文献２）ならびに「洗濯機の糸くず取り器」（特許文献３）が提案され、公知技術となっている。
【０００６】
しかしながら、係る「洗濯くず捕集網袋兼用浴湯アカ捕集網袋」ならびに「洗濯機の糸くず取り器」の提案は、糸くず取り器本体の上に浮子（フロート）を装着して洗濯槽の水面上に開口部を上にして浮上させる構造であるため、洗濯機槽の上層部辺りに浮上している洗濯糸くずの捕集に留まるものであった。
【０００７】
また、洗濯機の洗濯槽の側面に固定される固定式の洗濯機の糸くず捕集具の提案としては、例えば、「洗濯機の糸くず等の捕集装置」（特許文献４）が提案され、公知技術となっている。
【０００８】
しかしながら、係る「洗濯機の糸くず等の捕集装置」の提案は、洗濯槽の側面に装着される構造であるため、旧来の遠心分離脱水槽式洗濯機に使用されるに留まると共に、洗濯機槽の捕集装置が取り付けられた辺りを遠心的に浮遊する洗濯くずの捕集に留まることで捕集効率が悪いと共に、現在主流となっている斜めドラム回転式洗濯機には装着することができないものであった。
尚、洗濯槽の側面に吸盤やフックを用いて捕集装置を装着する手段を採用している「洗濯機の糸くず取り器」（特許文献５）に関しても上記と同様である。
【０００９】
また、洗濯機の洗濯槽内に投入する投入式の洗濯機の糸くず捕集具の提案としては、例えば、「電気洗濯機の糸くず付着ボール」（特許文献６）や「洗濯機内の糸くず取り器」（特許文献７）が提案され、公知技術となっている。
【００１０】
しかしながら、係る「電気洗濯機の糸くず付着ボール」ならびに「洗濯機内の糸くず取り器」の提案は、球体の表面にブラシ状の起毛を配置し、その起毛に洗濯糸くずを絡めて捕集する手段を採用しているもので、洗濯機の洗濯槽内を自在に浮遊する洗濯糸くずを捕集することができるが、洗濯槽の上層部、中層部、下層部の各層エリア毎に浮遊する洗濯糸くずを効率よく個別に捕集することができないと共に、ブラシ状の起毛に絡まった洗濯糸くずを除去する作業が手間を要すると共に、除去作業自体が面倒であるという問題があった。
【００１１】
また、洗濯機の糸くず等の捕集具に取り付けられる捕集袋自体の提案としては、糸くずを容易に取り出すことができる「洗濯機の糸くず除去装置の袋」（特許文献８）や、一旦捕集した洗濯糸くずを洗濯機の洗濯槽内に再び排出させないように二重袋とした「洗濯機内の糸くずとり装置の糸くずの浮き上がり防止装置」（特許文献９）が提案され、公知技術となっている。
【００１２】
しかしながら、係る「洗濯機の糸くず除去装置の袋」や、「洗濯機内の糸くずとり装置の糸くずの浮き上がり防止装置」の洗濯糸くずの除去手段は、一旦捕集した洗濯糸くずを洗濯機の洗濯槽内に再放出させないようにした捕集袋の提案であって、捕集袋が装着される装置自体の取り付け手段が限定されているものではないが、少なくても本願発明のような捕集袋自体を洗濯槽内に投入して洗濯くずを捕集する投入式の洗濯機用糸くず捕集具の提案ではない。
その根拠としては、「洗濯機内の糸くずとり装置の糸くずの浮き上がり防止装置」おいては、図面より枠体が省略された捕集袋の提案であることが容易に判断できると共に、「洗濯機の糸くず除去装置の袋」においては、明細書中、二頁目の使用方法の説明の記載で「洗濯機に装置された袋体Ａ・・・」と表記されていることから何らかの手段（取り付け手段は図示ならびに文中に記載されていない）によって、洗濯機に枠体を装着することを前提とした捕集袋の提案であることが推測される。
従って、上記の提案らは、図面を見る限り一見、本発明の「洗濯機用糸くず捕集具」と類似しているように思われるが、本願発明における捕集手段ならびに捕集具の設置方法とは全く異なるものであり、また、集積された糸くずの除去手段に至っては、枠体の補強構造や内側の袋が邪魔して棒などで押し出して容易に除去することができない構造となっている。
【００１３】
従来の吊持式、浮上式、固定式における洗濯機用の洗濯糸くず捕集具は、現在主流となっている斜めドラム回転式洗濯機には不向きなことから、その大部分が洗濯糸くずを捕集する手段として採用されていない。最新式の斜めドラム回転式洗濯機に採用されている洗濯糸くずの主な捕集手段としては、洗濯槽内の水量を一旦洗濯機に内蔵されているポンプで循環させその途中工程で洗濯糸くずをフィルターで除去する構造を採用しているものではあるが、洗濯機のコストアップならびに洗濯機の底部に内蔵されるフィルター部の扉を空けて洗濯糸くずを除去する手間暇を必要とするため、洗濯糸くずの取り出し作業が面倒であるといった問題があるものであった。
【００１４】
本出願人は、洗濯時において、ワイシャツやズボンのポケットに洗濯物の糸くずが溜まる現象及び五月の節句時に飾られる鯉の吹き流しによって袋状の魚体が膨らむ現象を利用する共に、従来の吊持式、浮上式、固定式、投入式の中でも特に構造と取り扱いが簡単で捕集効率が高い投入式の糸くず捕集具を利用して、洗濯槽の上層部、中層部、下層部の各層エリア毎に洋々と浮遊する糸くずを効率よく捕集することができ、さらに、遠心分離脱水槽式洗濯機ならびに斜めドラム回転式洗濯機の両方の機種に対応することができる従来にない洗濯機用の糸くず捕集具ができないものかという構想の下、それらの問題を簡易且つ安価な手段で解決することができる洗濯機用の糸くず捕集具を開発し、本発明における投入式の「洗濯機用糸くず捕集具」の提案に至るものである。
【先行技術文献】
【特許文献】
【００１５】
【特許文献１】公開実用新案昭和５７−１６６８８６号
【特許文献２】公開実用新案昭和５８−４００７７号
【特許文献３】公開実用新案昭和５５−６０８８５号
【特許文献４】公開実用新案昭和５７−２７２８３号
【特許文献５】公開実用新案昭和５５−１０１５８８号
【特許文献６】特開２０１１−５０７０９号
【特許文献７】公開実用新案昭和５９−１１９２９０号
【特許文献８】公開実用新案昭和５８−２３５８０号
【特許文献９】公開実用新案昭和６１−２０５４８５号
【発明の概要】
【発明が解決しようとする課題】
【００１６】
本発明は上記問題点を鑑み、洗濯機の洗濯槽内に複数投入して洗濯槽の上層部、中層部、下層部の各層エリア毎に浮遊する洗濯糸くずを効率よく捕集することができると共に、遠心分離脱水槽式洗濯機ならびに斜めドラム回転式洗濯機の両方の機種に対応することができる投入式の洗濯機用糸くず捕集具の提供を図ることを課題とする。
【課題を解決するための手段】
【００１７】
本発明は上記課題を解決するためになされるもので、本発明の洗濯機用糸くず捕集具は、洗濯機の洗濯槽内に複数投入して洗濯糸くずを捕集する投入式の洗濯機用糸くず捕集具であって、前記洗濯機用糸くず捕集具は、捕集開口具と、捕集ネットと、によって構成され、前記捕集開口具は、所定の大きさの捕集開口口を有すると共に、水の比重に対して同等またはそれ以下またはそれ以上の異なる比重の材質で成るリング状の浮遊体で形成されて成り、前記捕集ネットは、所定の奥行寸法を有すると共に、最奥部に向かって先細又は細長のネット状の袋体で形成されて成り、前記捕集開口具が、前記捕集ネットの開口部に連結又は固定されて成り、使用時において、前記複数の捕集開口具を水との比重差によって洗濯槽の上層部、中層部、下層部の各層エリア毎に浮遊させた状態で、前記捕集ネットの外側末端部が洗濯水流によって流されることで、前記捕集開口具の捕集開口口の向きが洗濯水流の方向と対峙すると共に、該捕集開口口に洗濯水流が流れ込んで捕集ネットの内側部を膨らませた状態で洗濯糸くずを捕集する手段を採る。
【００１８】
また、本発明の洗濯機用糸くず捕集具は、前記捕集開口具が、所定の大きさの捕集開口口と、所定の長さの筒状の壁面を形成して成る手段を採る。
【００１９】
また、本発明の洗濯機用糸くず捕集具は、前記捕集ネットの最奥部が、通水性の低い糸くず集積部によって形成されている手段を採る。
【００２０】
また、本発明の洗濯機用糸くず捕集具は、前記捕集開口具の捕集開口口の前面に中心部が開放されるガード柵を設けた手段を採る。
【００２１】
また、本発明の洗濯機用糸くず捕集具は、前記捕集開口具の前面からオーバーキャップを嵌め込んで前記捕集開口具と、前記捕集ネットと、を連結した手段を採る。
【発明の効果】
【００２２】
本発明における洗濯機用糸くず捕集具によれば、リング状の合成樹脂製の捕集開口具と、所定の奥行寸法を有すると共に、最奥部に向かって先細又は細長のネット状の袋体による捕集ネットとが、極めて単純な構造によって安価且つ軽量に製造される上、使用に際しては、洗濯機本体に装着不要となるため、遠心分離脱水槽式洗濯機ならびに斜めドラム回転式洗濯機の両方の機種に対応することができる、といった優れた効果を奏する。
【００２３】
また、本発明における洗濯機用糸くず捕集具によれば、捕集開口具の部材が、水の比重に対して同等またはそれ以下またはそれ以上の比重で形成されていることによって、洗濯槽の上層部、中層部、下層部の各層エリア毎に浮遊する洗濯糸くずを効率よく捕集ネットに捕集することができる、といった優れた効果を奏する。
【００２４】
また、本発明における洗濯機用糸くず捕集具によれば、捕集開口具に一定の長さの筒状の壁面が形成されることで、捕集開口口が洗濯水流と対峙すると共に、該捕集開口口に捕集された洗濯糸くずを捕集ネットに誘導して効率よく捕集することができる、といった優れた効果を奏する。
【００２５】
また、本発明における洗濯機用糸くず捕集具によれば、捕集開口具の壁面が最奥部に向かって徐々に縮形するテーパ状に形成されることで、一旦捕集開口口に捕集された洗濯糸くずをよりスムーズに捕集ネットに誘導して捕集することができる、といった優れた効果を奏する。
【００２６】
また、本発明における洗濯機用糸くず捕集具によれば、捕集ネットの最奥部が、通水性の低い糸くず集積部によって形成されていることによって、糸くず集積部が洗濯水流の水圧を受けることで捕集開口口が確実に洗濯水流の方向と対峙すると共に、捕集ネット自体が膨らむことにより洗濯糸くずがより効率よく捕集ネットに捕集される、といった優れた効果を奏する。
【００２７】
また、本発明における洗濯機用糸くず捕集具によれば、捕集開口具の捕集開口口の前面に中心部が開放されるガード柵が設けられることによって、洗濯物の一端が捕集開口口を塞いで捕集効率が低下することを防ぐことができると共に、捕集ネットの最奥部から棒（箸）で押し出して裏返すことで、洗濯糸くずを容易に除去することができる、といった優れた効果を奏する。
【００２８】
また、本発明における洗濯機用糸くず捕集具によれば、捕集開口具と捕集ネットを連結する手段が嵌め込み式のオーバーキャップを使用することで、製造段階での組み立て工程が不要となることによって、製造原価のコストダウンが図られる、といった優れた効果を奏する。
【図面の簡単な説明】
【００２９】
【図１】本発明の洗濯機用糸くず捕集具の実施形態を示す説明図である。              （実施例１）
【図２】本発明の洗濯機用糸くず捕集具の別の実施形態を示す説明図である。          （実施例２）
【図３】本発明の洗濯機用糸くず捕集具の別の実施形態を示す説明図である。          （実施例３）
【図４】本発明の洗濯機用糸くず捕集具の別の実施形態を示す説明図である。          （実施例４）
【図５】本発明の洗濯機用糸くず捕集具の別の実施形態を示す説明図である。          （実施例５）
【発明を実施するための形態】
【００３０】
本発明における洗濯機用糸くず捕集具１０は、洗濯機Ｇの洗濯槽Ｗ内に複数投入して洗濯糸くずＫを捕集する投入式の洗濯機用糸くず捕集具１０であって、使用時において、複数の捕集開口具２０を水との比重差によって洗濯槽Ｗの上層部、中層部、下層部の各層エリア毎に浮遊させた状態で、捕集ネット３０の外側末端部が洗濯水流Ｓによって流されることで、捕集開口具２０の捕集開口口２１の向きが洗濯水流Ｓの方向と対峙すると共に、該捕集開口口２１に洗濯水流Ｓが流れ込んで捕集ネット３０の内側部を膨らませた状態で洗濯糸くずＫを捕集する手段を採ったことを最大の特徴とする。以下、本発明の実施形態を図面に基づいて説明する。
【００３１】
尚、本発明の洗濯機用糸くず捕集具１０は、以下に述べる実施例に限定されるものではなく、本発明の技術的思想の範囲内、すなわち同一の作用効果を発揮できる形状及び寸法の範囲内で、適宜変更することができる。
【実施例１】
【００３２】
図１は、本発明の洗濯機用糸くず捕集具の実施形態を示す説明図である。
図１（a）は、本発明における洗濯機用糸くず捕集具１０の分解斜視図である。
本発明の洗濯機用糸くず捕集具１０は、洗濯機Ｇの洗濯槽Ｗ内に複数投入して洗濯槽Ｗの上層部、中層部、下層部の各層エリア毎に浮遊する洗濯糸くずＫを効率よく捕集するものであって、捕集開口具２０と、捕集ネット３０と、によって構成される。
【００３３】
捕集開口具２０は、洗濯水流Ｓが流れてくる方向と対峙して捕集を容易にする開口口と方向性を確実に確保する目的と、洗濯槽Ｗの上層部、中層部、下層部の各層エリア毎に浮遊する洗濯糸くずＫを効率よく捕集する目的で設けられるものである。
形状的には、例えば、捕集開口口２１の大きさが略４０ｍｍ、厚みが略３ｍｍの軟質又は硬質のリング状の合成樹脂部材が使用され、捕集ネット３０の開口部３１に連結または固定される。
また、捕集開口具２０を比重の異なる重さ別に色分けすることで洗濯槽Ｗの上層部、中層部、下層部の各層エリア毎に浮遊する洗濯糸くずＫの捕集量を確認することができると共に、その捕集された洗濯糸くずＫの捕集量に合わせて各層エリア毎の投入個数を増減させることもできる。
【００３４】
捕集ネット３０は、例えば、メッシュ１ｍｍ程度のネット又は通水性の良い布地を使用し、略８０ｍｍ程度の所定の奥行寸法を有すると共に、最奥部に向かって先細又は細長のネット状の袋体に形成される。該袋体の縫い目は、洗濯糸くずＫを除去する際に洗濯糸くずＫが縫い目に絡まないように外側に縫製されていることが好ましい。
また、捕集ネット３０が所定の奥行寸法を有すると共に、最奥部に向かって先細又は細長のネット状の袋体に形成されていることによって、洗濯時に洗濯水流Ｓの向きが反転して変わることで捕集ネット３０の袋体の膨らみが一時的に萎むことにより、一旦捕集された洗濯糸くずＫが再放出しにくい状態となると共に、捕集ネット３０の奥行寸法が一定の長さがあることによって、袋体全体が洗濯水流Ｓによって流されて捕集開口具２０の捕集開口口２１の向きが洗濯水流Ｓと対峙する方向に自然と開口する構造となっている。（図２（ｄ）参考参照）
【００３５】
捕集開口具２０と捕集ネット３０の連結または固定手段としては、接着式、溶着式、圧着式、鋲着式、引っ掛け式、締め付け式、被覆式等が考えられるが、それらの連結または固定手段は特に限定するものではない。
【００３６】
図１（b）は、本発明における洗濯機用糸くず捕集具１０の断面説明図である。
本発明における洗濯機用糸くず捕集具１０は、捕集開口具２０と、捕集ネット３０と、が連結または固定されて構成される。
【００３７】
図１（c）は、本発明における洗濯機用糸くず捕集具１０の洗濯状態を示す説明図である。
洗濯機Ｇの洗濯槽Ｗ内に洗濯物Ｅと一緒に洗濯機用糸くず捕集具１０を複数投入することで、洗濯機用糸くず捕集具１０が洗濯物Ｅと洗濯物Ｅの間に入り込んで洗濯槽Ｗの上層部、中層部、下層部の各層エリア毎に浮遊する洗濯糸くずＫを効率よく捕集するもので、さらに洗濯終了後においては洗濯物Ｅと一緒に乾燥すると共に回収するものである。
【００３８】
その使用方法としては、洗濯槽Ｗの上層部に浮遊する洗濯糸くずＫを捕集するには、水の比重に対してそれ以下の比重を有する発泡樹脂部材で形成される色分けされた本発明の糸くず捕集具１０を投入して洗濯することで達成される。
【００３９】
また、洗濯槽Ｗの中層部に浮遊する洗濯糸くずＫを捕集するには、水の比重に対して同等の比重を有するプラスチック等の合成樹脂部材で形成される色分けされた本発明の糸くず捕集具１０を投入して洗濯することで達成される。
【００４０】
また、洗濯槽Ｗの下層部に浮遊する洗濯糸くずＫを捕集するには、水の比重に対してそれ以上の比重を有する高密度の合成樹脂部材で形成される色分けされた本発明の糸くず捕集具１０を投入して洗濯することで達成される。
尚、ユーザーの洗濯物Ｅの種類によって洗濯糸くずＫの浮遊状態が、上層部、中層部、下層部の何れかに偏る場合は、その偏った浮遊層に合った比重の洗濯機用糸くず捕集具１０を複数投入することで洗濯槽Ｗに浮遊する洗濯糸くずＫを効率的に捕集することができる。
【００４１】
図１（ｄ）は、本発明における洗濯機用糸くず捕集具１０の洗濯糸くずＫの捕集状態を示す説明図である。
捕集開口口２１から捕集された洗濯糸くずＫは、捕集ネット３０の側面の網目に洗濯水流Ｓに沿って捕集（引っ掛かり）され、その後洗濯水流Ｓの圧力によって捕集ネット３０の最奥部に少しづつ集積される。その際、捕集ネット３０の内側の網目及び集積された洗濯糸くずＫに洗濯水流Ｓの水圧がかかることによって、捕集ネット３０は鯉の吹き流し現象により膨らんだ状態で洗濯槽Ｗ内を浮遊することとなる。
【００４２】
図１（e）は、本発明における洗濯機用糸くず捕集具１０の洗濯糸くずＫの除去手段を示す説明図である。
洗濯機用糸くず捕集具１０の捕集ネット３０の後方から棒Ｂ（箸）のようなものを押し込んで捕集ネット３０を裏返しにし、捕集ネット３０の最奥部に捕集されている洗濯糸くずＫを除去するものである。
【００４３】
以上で構成される本発明の洗濯機用糸くず捕集具１０は、捕集開口具２０を形成する部材が、水の比重に対して同等またはそれ以下またはそれ以上の比重で形成されることによって、洗濯槽Ｗの上層部、中層部、下層部の各層エリア毎に浮遊する洗濯糸くずＫを効率よく捕集することができる。
【００４４】
また、リング状の合成樹脂製の捕集開口具２０とネット状の捕集ネット３０とが、極めて単純な構造であるため、安価且つ軽量に製造され、さらに使用時において洗濯機Ｇ本体に装着不要となるため、遠心分離脱水槽式洗濯機ならびに斜めドラム回転式洗濯機の両方の機種に対応することができる。
【実施例２】
【００４５】
図２は、本発明の洗濯機用糸くず捕集具の別の実施形態を示す説明図である。
図２（a）は、本発明における洗濯機用糸くず捕集具１０の分解斜視図である。
図２（b）は、本発明における洗濯機用糸くず捕集具１０の断面説明図である。
本発明の洗濯機用糸くず捕集具１０は、捕集開口具２０が、所定の大きさの捕集開口口２１と、所定の長さの筒状の壁面２２を形成して成る手段を採ることができる。
【００４６】
壁面２２は、所定の大きさの捕集開口口２１と所定の長さの筒状の壁とによって形成されるもので、さらに壁面２２を捕集ネット３０の最奥部に向かって徐々に縮形するテーパ状にすることで、洗濯糸くずＫをよりスムーズに捕集ネット３０内に誘導することができる。
【００４７】
図２（ｃ）は、本発明における洗濯機用糸くず捕集具１０の捕集状態を示す断面説明図である。
壁面２２は、洗濯水流Ｓの反転によって捕集ネット３０が交互に反転することで捕集開口具２０の捕集開口口２１が捕集ネット３０によって塞がれる状況を回避する目的と、一旦壁面２２内に入った洗濯糸くずＫを再放出することなく捕集ネット３０の最奥部に誘導する目的で形成される。
【００４８】
図２（ｄ）は、本発明における洗濯機用糸くず捕集具１０の使用状態を示す断面説明図である。
洗濯時に壁面２２の外側が洗濯水流Ｓの水圧を受けることによって、捕集開口口２１がその水圧を受けまいと洗濯水流Ｓの方向と対峙する状態となると共に、一旦捕集開口具２０内に入って捕集状態となっている洗濯糸くずＫを再放出することなく捕集ネット３０内に確実に誘導することができる。
【００４９】
以上で構成される本発明の洗濯機用糸くず捕集具１０は、捕集開口具２０に壁面２２が形成されることで、捕集開口口２１が捕集ネット３０によって塞がれる状況を回避することができると共に、一旦壁面２２内に捕集された洗濯糸くずＫを再放出することなく捕集ネット３０内に確実に誘導して捕集することができる。
【実施例３】
【００５０】
図３は、本発明の洗濯機用糸くず捕集具の別の実施形態を示す説明図である。
図３（a）は、本発明における洗濯機用糸くず捕集具１０の分解斜視図である。
本発明の洗濯機用糸くず捕集具１０は、捕集ネット３０の最奥部が、通水性の低い糸くず集積部３２によって形成されている手段を採ることができる。
【００５１】
糸くず集積部３２は、例えば、通水性の低い布地又はメッシュの細かいネットを用いて、捕集ネット３０の最奥部に袋状に形成される（捕集ネット３０の内側に重ね合わせてもよい）もので、捕集開口口２１を洗濯水流Ｓの方向と対峙させると共に、捕集ネット３０を膨らませる手段として設けられるものである。
【００５２】
図３（b）は、本発明における洗濯機用糸くず捕集具１０の断面説明図である。
本発明の洗濯機用糸くず捕集具１０は、通水性の低い糸くず集積部３２が洗濯水流Ｓの水圧を受けることで捕集開口口２１がその水圧を受けて洗濯水流Ｓの方向と対峙すると共に、捕集ネット３０自体が洗濯水流Ｓの水圧を受けて確実に膨らむ構造とすることができる。
【００５３】
図３（ｃ）は、本発明における洗濯機用糸くず捕集具１０の捕集状態を示す断面説明図である。
捕集ネット３０の最奥部に通水性の低い糸くず集積部３２が形成されていることによって、糸くず集積部３２が洗濯水流Ｓの水圧を受けることで捕集開口口２１が確実に洗濯水流Ｓの方向と対峙すると共に、捕集ネット３０自体が膨らむことにより洗濯糸くずＫが効率よく捕集ネット３０の最奥部に確実に誘導されて捕集されるものである。
【実施例４】
【００５４】
図４は、本発明の洗濯機用糸くず捕集具の別の実施形態を示す説明図である。
本発明の洗濯機用糸くず捕集具１０は、捕集開口具２０の捕集開口口２１の前面に中心部が開放されるガード柵４０を設けた手段を採ることができる。
【００５５】
ガード柵４０は、捕集開口具２０の捕集開口口２１の前面に中心部が開放される形状で設けられ、捕集開口具２０と一体構造で成型されるもので、洗濯物Ｅの一端が捕集開口口２１を塞いでしまうことを防ぐと共に、捕集ネット３０の最奥部から棒Ｂ（箸）で押し出して裏返すことで、洗濯糸くずＫを容易に除去することを目的として設けられるものである。
【００５６】
ガード柵４０の中心部が開放される輪環状に形成したものである。また、中心部が開放される格子状に形成することもできる。（図示なし）
【００５７】
以上で構成される本発明の洗濯機用糸くず捕集具１０は、捕集開口具２０の捕集開口口２１の前面に中心部が開放されるガード柵４０が設けられることによって、洗濯物Ｅの一端が捕集開口具２０の捕集開口口２１を塞いで捕集効率が低下することを防ぐと共に、ガード柵４０の中心部が開放されていることによって捕集ネット３０の最奥部から棒Ｂ（箸）で押し出して裏返すことで、洗濯糸くずＫを容易に除去することができる。（図１（e）参考参照）
【実施例５】
【００５８】
図５は、本発明の洗濯機用糸くず捕集具の別の実施形態を示す説明図である。
本発明の洗濯機用糸くず捕集具１０は、捕集開口具２０の前面からオーバーキャップ２３を嵌め込んで捕集開口具２０と捕集ネット３０と、を連結する手段を採ることができる。
【００５９】
図５（a）は、オーバーキャップ２３を使用した洗濯機用糸くず捕集具１０の分解斜視図である。
捕集開口具２０に捕集ネット３０の開口部３１を裏返しにして被せ、さらにオーバーキャップ２３を捕集開口具２０に被せて組み立てられる。
【００６０】
図５（ｂ）は、オーバーキャップ２３を使用した洗濯機用糸くず捕集具１０の断面説明図である。
オーバーキャップ２３は、捕集開口具２０と同じ材質の合成樹脂部材で形成され、捕集開口具２０と捕集ネット３０を上から被せて挟み込む形状に形成される。
【００６１】
以上における本発明の洗濯機用糸くず捕集具１０は、捕集開口具２０と捕集ネット３０を連結または固定する手段がオーバーキャップ２３を使用することで製造段階での組み立て工程が不要となるため、製造原価のコストダウンを図ることができる。（同包パックされた各部品をユーザー自身で組み立てる方法を採用。）
【００６２】
図５（ｃ）は、オーバーキャップ２３を使用した洗濯機用糸くず捕集具１０にガード柵４０を設けた分解斜視図である。
ガード柵４０が設けられたオーバーキャップ２３を捕集開口具２０に嵌め込んで使用することもできる。
【００６３】
以上における本発明の洗濯機用糸くず捕集具１０は、製造段階での組み立て工程が不要となることから、製造原価のコストダウンを図ることができると共に、洗濯物Ｅの一端が捕集開口口２１を塞いでしまうことを防ぐことができ、さらにガード柵４０の中心部が開放されていることによって、捕集ネット３０の最奥部から棒Ｂ（箸）のようなもので押し出して裏返すことで、洗濯糸くずＫを容易に除去することができる。
【産業上の利用可能性】
【００６４】
本発明の投入式の洗濯機用糸くず捕集具は、洗濯機の洗濯槽内に複数投入して洗濯槽の上層部、中層部、下層部の各層エリア毎に浮遊する洗濯糸くずを効率よく捕集することができると共に、洗濯機本体に装着不要となるため、遠心分離脱水槽式洗濯機ならびに斜めドラム回転式洗濯機の両方の機種に対応することができることから、本発明における投入式の「洗濯機用糸くず捕集具」の産業上の利用可能性は極めて大であるものと思料する。
【符号の説明】
【００６５】
１０  洗濯機用糸くず捕集具
２０  捕集開口具
２１  捕集開口口
２２  壁面
２３  オーバーキャップ
３０  捕集ネット
３１  開口部
３２  糸くず集積部
４０  ガード柵
Ｋ    洗濯糸くず
Ｓ    洗濯水流
Ｂ    棒
Ｇ    洗濯機
Ｗ    洗濯槽
Ｅ    洗濯物
【要約】      （修正有）【課題】洗濯機の洗濯槽内に複数投入して洗濯槽の上層部、中層部、下層部の各層に浮遊する洗濯糸くずを効率よく補集することができると共に、遠心分離脱水槽式洗濯機ならびに斜めドラム回転式洗濯機の両方の機種に対応することができる投入式の洗濯機用糸くず補集具を提供する。【解決手段】洗濯機の洗濯槽内に複数投入して洗濯槽の上層部、中層部、下層部の各層に浮遊する洗濯糸くずを補集する投入式の洗濯機用糸くず補集具１０であって、補集開口具２０と、補集ネット３０と、によって構成され、補集開口具は、所定の大きさの補集開口口を有すると共に、水の比重に対して同等またはそれ以下またはそれ以上の異なる比重の材質で成るリング状の浮遊体で形成されて成り、補集ネットは、所定の奥行寸法を有すると共に、最奥部に向かって先細又は細長のネット状の袋体に形成されて成り、補集ネットの開口部に補集開口具を連結又は固定して成る。【選択図】図１【図１】
0006765165.tif 000002
【図２】
0006765165.tif 000003
【図３】
0006765165.tif 000004
【図４】
0006765165.tif 000005
【図５】
0006765165.tif 000006